(57)【要約】      （修正有）【課題】胸部に皺のない自然な膨らみを有し、外観及び装着感に優れた上衣を提供する。【解決手段】前身頃１１と、後身頃１２とを有し、前身頃及び後身頃の肩線部１３ａ、１３ｂには、夫々、中心から外方へ向かうに従って下降する傾斜部１４ａ、１４ｂが設けられ、前身頃及び後身頃の肩線部を互いに縫着して肩部が形成される衣服１０において、前身頃の肩線部は後身頃の肩線部に対して異なった傾斜角度α、βで形成された傾斜部を有すると共に、前身頃の下縁部１６と肩線部との間の間隔寸法は後身頃の間隔寸法よりも大きく形成され、前身頃及び後身頃の肩線部を、夫々、着用時に接合又は製作時に縫合した場合には、前身頃が前方へ突出して膨出部が形成される。【選択図】図１
0003196207.tif 000002
【実用新案登録請求の範囲】
【請求項１】
前身頃と、後身頃とを有し、前記前身頃及び後身頃の肩線部には、夫々、中心から外方へ向かうに従って下降する傾斜部が設けられ、前記前身頃及び後身頃の肩線部を互いに縫着して肩部が形成される衣服において、前記前身頃の肩線部は前記後身頃の肩線部に対して異なった傾斜角度で形成された前記傾斜部を有すると共に、前記前身頃の下縁部と前記肩線部との間の間隔寸法は前記後身頃の間隔寸法よりも大きく形成され、前記前身頃及び後身頃の肩線部を、夫々、着用時に接合又は製作時に縫合した場合には、前記前身頃が前方へ突出して膨出部が形成されることを特徴とする衣服。
【請求項２】
前記前身頃の首部から胸部にかけて前中心に切込部が設けられ、前記前身頃及び後身頃の肩線部を、夫々、着用時に接合又は製作時に縫合した場合には、前記切込部が互いに接近すると共に前方へ突出し、前記胸部に前記膨出部が形成されることを特徴とする請求項１記載の衣服。
【請求項３】
前記後身頃の肩線部の長さ寸法は、前記前身頃の肩線部の長さ寸法よりも大きく形成され、前記前身頃の肩線部先端部と前記後身頃の肩線部先端部とを縫合した場合には、前記後身頃が前記肩部から前記首部方向へと牽引されることを特徴とする請求項２記載の衣服。
【請求項４】
前記前身頃の袖付線部の長さ寸法は、前記後身頃の袖付線部の長さ寸法より大きく形成されていることを特徴とする請求項３記載の衣服。
【請求項５】
前記衣服はニット素材からなるカットソーであることを特徴とする請求項４に記載の衣服。
【考案の詳細な説明】
【技術分野】
【０００１】
本考案は、衣服に係り、特に、ジャージ、ニット素材製品の上衣における人体の胸部の膨らみを立体表現できる衣服に関する。
【背景技術】
【０００２】
一般に、洋服は、型紙を作り、裁断し、仮縫いして、本縫いし、仕上げるまでの過程を経て作られる。洋裁といえば、前記一連の過程を含んだ言葉として用いられているが、この中で最も重要な段階は、洋裁という文字が表すように、型紙を作り、生地を裁断するところにあり、この段階により洋服の形が決まる。
【０００３】
従来より、洋裁における裁断方法として、立体裁断が用いられている。この方法は、人体や人台に布を当てて、洋服のシルエットを表現して型紙を作り裁断する方法であり、女性の体における凹凸、特に胸部の膨らみを表現するために、婦人服で多く用いられている。また、立体裁断は、女性向けの洋服に限られるものではなく、アスリートのように胸部の筋肉が発達している人向けの洋服においても広く用いられている。
しかしながら、人体が曲面で構成されているのに対して、生地は平面であるため、たとえ立体裁断を用いたとしても、体の凹凸、特に胸部の膨らみの形状を平面からなる生地によって完全に形成するのは困難であった。
【０００４】
これまで、上衣における胸部の膨らみを形成する場合においては、タック処理やダーツ処理をして形成していた。ダーツ処理やタック処理は、いずれも生地を折り込んで縫着することによって生地を立体的に形成する技術である。しかしながら、前記ダーツ又はタック処理による縫着部分に対して着用者が違和感や不快感を覚えて着心地が良くないという不具合があると共に、前記ダーツ又はタック処理によって生地を局所的に引っ張るために他の部分に皺が発生してしまうという不具合があった。
特に、ポロシャツ等のいわゆるカットソーにおいては、前身頃と後身頃とが同一の形状、寸法に形成されて縫合されていることから、特に、女性が着用した場合には、胸部の膨らみにより、バストトップから下方へ至る部位に明確に縦皺が発生し、外観品質上好ましくない、という欠点があった。
【０００５】
本件出願人はこのような観点から先行技術調査を行い、上記特許文献１〜３のような文献を発見したが、前記要請に応えられる技術ではなかった。
【特許文献１】特開２００１−１５９００３号公報
【特許文献２】特開２０００−３３６５１１号公報
【特許文献３】実開昭４８−４６８０６号公報
【考案の開示】
【考案が解決しようとする課題】
【０００６】
本考案は、以上のような従来からの不具合を解決するためのものであって、その課題は、胸部に皺のない自然な膨らみを有し、外観及び装着感に優れた衣服を提供することにある。
【課題を解決するための手段】
【０００７】
前記課題を解決するために、請求項１に記載の考案にあっては、前身頃と、後身頃とを有し、前記前身頃及び後身頃の肩線部には、夫々、中心から外方へ向かうに従って下降する傾斜部が設けられ、前記前身頃及び後身頃の肩線部を互いに縫着して肩部が形成される衣服において、前記前身頃の肩線部は前記後身頃の肩線部に対して異なった傾斜角度で形成された前記傾斜部を有すると共に、前記前身頃の下縁部と前記肩線部との間の間隔寸法は前記後身頃の間隔寸法よりも大きく形成され、前記前身頃及び後身頃の肩線部を、夫々、着用時に接合又は製作時に縫合した場合には、前記前身頃が前方へ突出して膨出部が形成されることを特徴とする。
【０００８】
従って、前記前身頃及び後身頃の肩線部を、夫々、着用時に接合又は製作時に縫合した場合には、前記前身頃が前方へ突出して膨出部が形成される。
【０００９】
請求項２に記載の考案にあっては、前記前身頃の首部から胸部にかけて前中心に切込部が設けられ、前記前身頃及び後身頃の肩線部を、夫々、着用時に接合又は製作時に縫合した場合には、前記切込部が互いに接近すると共に前方へ突出し、前記胸部に前記膨出部が形成されることを特徴とする。
【００１０】
従って、前記前身頃及び後身頃の肩線部を、夫々、着用時に接合又は製作時に縫合した場合には、前記切込部が互いに接近すると共に前方へ突出し、前記胸部に前記膨出部が形成される。
【００１１】
請求項３に記載の考案にあっては、前記後身頃の肩線部の長さ寸法は、前記前身頃の肩線部の長さ寸法よりも大きく形成され、前記前身頃の肩線部先端部と前記後身頃の肩線部先端部とを縫合した場合には、前記後身頃が前記肩部から前記首部方向へと牽引されることを特徴とする。
【００１２】
従って、前記前身頃の肩線部先端部と前記後身頃の肩線部先端部とを縫合した場合には、前記後身頃が前記肩部から前記首部方向へと牽引される。
【００１３】
請求項４に記載の考案にあっては、前記前身頃の袖付線部の長さ寸法は、前記後身頃の袖付線部の長さ寸法より大きく形成されていることを特徴とする。
【００１４】
従って、前記前身頃には曲率の大きいアームホールが形成されると共に、前記後見頃には曲率の小さいアームホールが形成される。
【００１５】
請求項５に記載の考案にあっては、前記衣服はニット素材からなるカットソーであることを特徴とする。
【００１６】
従って、前記衣服はニット素材由来の伸縮性を持つ。
【考案の効果】
【００１７】
請求項１に記載の衣服にあっては、前記前身頃及び後身頃の肩線部を、夫々、着用時に接合又は製作時に縫合した場合には、前記前身頃が前方へ突出して膨出部が形成されるので、前記前身頃を構成する生地に対して、例えば、ダーツ又はタック処理のような局所的に引っ張る処理をすることなく、前記前身頃を構成する生地全体を用いて前方へ突出する膨出部を形成することができる。
その結果、前身頃に皺のない自然な膨らみを有し、外観品質及び装着感に優れた衣服を提供することができる。
特に、薄い一枚の生地で構成するためにダーツ又はタック処理の適さないカットソーに本願考案を適用した場合にあっては、縦皺の発生しない外観品質に優れたカットソーを提供することができる。
【００１８】
請求項２に記載の衣服にあっては、前記前身頃及び後身頃の肩線部を、夫々、着用時に接合又は製作時に縫合した場合には、前記切込部が互いに接近すると共に前方へ突出し、前記胸部に前記膨出部が形成されるので、胸部に皺のない自然な膨らみを有し、外観品質及び装着感に優れた衣服を提供することができる。
また、例えば、前記衣服がポロシャツの場合であれば、前記切込部は襟部を構成するので、前記襟部に設けられたボタンを締めることによって、胸部に膨出部を形成することができる。
【００１９】
請求項３に記載の衣服にあっては、前記前身頃の肩線部先端部と前記後身頃の肩線部先端部とを縫合した場合には、前記後身頃が前記肩部から前記首部方向へと牽引されるので、前記後身頃の中心付近に突出する肩甲骨に対応した膨らみを形成することができる。
【００２０】
請求項４に記載の衣服にあっては、前記前身頃には曲率の大きいアームホールが形成されると共に、前記後見頃には曲率の小さいアームホールが形成されるので、日常生活において身体後方より身体前方への運動を行う機会が圧倒的に多い腕を衣服に引っ張られることなく苦痛なく動かすことができる衣服を提供することができる。
【００２１】
請求項５に記載の衣服にあっては、ニット素材由来の伸縮性を持つので、胸部の膨らみをはじめとした前記立体的形状は、いずれも皺のない自然な膨らみとして形成され、外観及び装着感に優れた衣服を提供することができる。
【図面の簡単な説明】
【００２２】
【図１】本考案に係る衣服の一実施の形態を示し、使用される型紙を前身頃及び後身頃に展開して描いた正面図である。
【図２】（ａ）本考案に係る衣服の一実施の形態及び（ｂ）従来の衣服を示す斜視図である。
【図３】本考案に係る衣服の一実施の形態を示し、使用される型紙を前身頃及び後身頃に展開して描いた側面図である。
【図４】本考案に係る衣服の一実施の形態を示し、袖を型紙に展開して描いた正面図である。
【図５】本考案に係る衣服の他の実施の形態を示し、使用される型紙を前身頃及び後身頃に展開して描いた正面図である。
【図６】従来の衣服において、使用される型紙を前身頃及び後身頃に展開して描いた正面図である。
【考案を実施するための最良の形態】
【００２３】
以下、添付図面に示す実施の形態に基づき、本考案を詳細に説明する。
図１に示すように、本考案の一実施の形態に係る衣服１０は、ニット素材製であって、前身頃１１と、後身頃１２とを有し、前身頃１１及び後身頃１２の肩線部１３ａ、１３ｂには、夫々、中心から外方へ向かうに従って下降する傾斜部１４ａ、１４ｂが設けられ、前身頃１１及び後身頃１２の肩線部１３ａ、１３ｂを互いに縫着して肩部１５が形成されている。
【００２４】
また、前身頃１１の肩線部１３ａは後身頃１２の肩線部１３ｂに対して異なった傾斜角度α、βで形成された傾斜部１４を有すると共に、前身頃１１の下縁部１６と肩線部１３ａとの間の間隔寸法Ｌは後身頃１２の間隔寸法Ｌ１よりも大きく形成され、前身頃１１及び後身頃１２の肩線部１３ａ、１３ｂを、夫々、着用時に接合又は製作時に縫合した場合には、前身頃１１が前方へ突出して膨出部１７が形成されるように構成されている。
【００２５】
また、前身頃１１の首部１８から胸部１９にかけて前中心２０に切込部２１が設けられ、前身頃１１及び後身頃１２の肩線部１３ａ、１３ｂを、夫々、着用時に接合又は製作時に縫合した場合には、切込部２１が互いに接近すると共に前方へ突出し、胸部１９に膨出部１７が形成されるように構成されている。
【００２６】
また、図３に示すように、後身頃１２の肩線部１３ｂの長さ寸法Ｌ２は、前身頃１１の肩線部１３ａの長さ寸法Ｌ３よりも大きく形成され、前身頃１１の肩線部先端部２２と後身頃１２の肩線部先端部２３とを縫合した場合には、後身頃１２の肩線部１３ｂが肩部１５から首部１８方向へと牽引されるように構成されている。
【００２７】
また、図１に示すように、前身頃１１の袖付線部２４ａの長さ寸法Ｌ４は、後身頃１２の袖付線部２４ｂの長さ寸法Ｌ５より大きく形成されている。
【００２８】
本実施の形態に係る衣服１０の構成について、添付図面を用いてより詳細に説明する。
図１及び図３に示すように、本実施の形態に係る衣服１０は、前身頃１１の前脇線部２５ａ、２５ａと、後身頃１２の後脇線部２５ｂ、２５ｂとが、夫々、縫着されている。
また、図１及び図４に示すように、本実施の形態に係る袖部２６は袖山部２７と、袖底部２８とから構成されている。袖底２８ａは袖底２８ｂと、袖山線部２７ａは前身頃１１の袖付線部２４ａと、袖山線部２７ｂは後身頃１２の袖付線部２４ｂと、夫々、縫着されている。
また、本実施の形態に係る袖山線部２７ａの曲率は、袖山線部２７ｂの曲率よりも大きく形成されると共に、腋下に相当する腋下袖山線部２９は、袖山線部２７ａと逆の曲率を有するように形成されている。
【００２９】
以下、本実施の形態に係る衣服１０の作用について、図６に示す従来の衣服３３と比較しながら、説明する。
従来の衣服３３にあっては、前身頃３４の肩線部３５ａは、後身頃３６の肩線部３５ｂと同一の傾斜角に形成されると共に、前身頃３４の下縁部３７と肩線部３５ａとの間の間隔寸法は後身頃３６の間隔寸法Ｌ６と同一に形成されている。
従って、前身頃３４及び後身頃３６の肩線部３５ａ、３５ｂを、夫々、接合又は縫合した場合には、前身頃３４及び後身頃は厚さ方向において完全に重なる。
【００３０】
一方、本実施の形態に係る衣服１０にあっては、前身頃１１の肩線部１３ａは後身頃１２の肩線部１３ｂに対して異なった傾斜角度α、βで形成された傾斜部１４を有すると共に、前身頃１１の下縁部１６と肩線部１３ａとの間の間隔寸法は後身頃１２の間隔寸法よりも大きく形成されている。
従って、図２（ａ）に示すように、前身頃１１及び後身頃１２の肩線部１３ａ、１３ｂを、夫々、着用時に接合又は製作時に縫合した場合には、前身頃１１が前方へ突出して膨出部１７が形成される。
特に、本実施の形態に係る衣服１０にあっては、前身頃１１の首部１８から胸部１９にかけて前中心２０に切込部２１が設けられているため、前身頃１１及び後身頃１２の肩線部１３ａ、１３ｂを、夫々、着用時に接合又は製作時に縫合した場合には、切込部２１が互いに接近すると共に前方へ突出し、胸部１９に膨出部１７が形成される。
【００３１】
従って、本実施の形態に係る衣服１０にあっては、前身頃１１を構成する生地に対して、例えば、ダーツ又はタック処理のような局所的に引っ張る処理をすることなく、前身頃１１を構成する生地全体を用いて前方へ突出する膨出部１７を形成することができる。
その結果、図２（ｂ）に示す胸部及び肩甲骨の膨らみによって皺３８が生じてしまう従来の衣服３３と比較して、図２（ａ）に示すように、胸部に皺が発生しない自然な膨らみを有し、外観品質及び装着感に優れた衣服を提供することができる。特に、薄い一枚の生地で構成するためにダーツ又はタック処理の適さないカットソーに本願考案を適用した場合にあっては、縦皺の発生しない外観品質に優れたカットソーを提供することができる。
また、衣類１０がポロシャツの場合であれば、切込部２１は襟部を構成するので、前記襟部に設けられたボタンを締めることによって、胸部に膨出部１７を形成することができる。
【００３２】
また、図３に示すように、本実施の形態に係る衣服１０にあっては、後身頃１２の肩線部１３ｂの長さ寸法は、前身頃１１の肩線部１３ａの長さ寸法よりも大きく形成されている。従って、前身頃１１の肩線部先端部２２と後身頃１２の肩線部先端部２３とを縫合した場合には、後身頃１２が肩部１５から首部１８方向へと牽引されるので、後身頃１２の中心付近に突出する肩甲骨に対応した膨らみを形成することができる。
【００３３】
また、図１及び図４に示すように、本実施の形態に係る衣服１０にあっては、前身頃１１の袖付線部２４ａの長さ寸法Ｌ４は、後身頃１２の袖付線部２４ｂの長さ寸法Ｌ５より大きく形成されると共に、袖底２８ａは袖底２８ｂと、袖山線部２７ａは前身頃１１の袖付線部２４ａと、袖山線部２７ｂは後身頃１２の袖付線部２４ｂと、夫々、縫着されている。
この際、前身頃１１には曲率の大きいアームホールが形成されると共に、後見頃１２には曲率の小さいアームホールが形成されるので、日常生活において身体後方より身体前方への運動を行う機会が圧倒的に多い腕を衣服に引っ張られることなく苦痛なく動かすことができる衣服を提供することができる。
【００３４】
また、本実施の形態に係る袖山線部２７ａの曲率は、袖山線部２７ｂの曲率よりも大きく形成されると共に、腋下に相当する腋下袖山線部２９は、袖山線部２７ａと逆の曲率を有するように形成されている。
従って、前身頃１１に形成されたアームホールが腋下において身体側に接近するように構成されるので、着装時の余分な乱れ皺をなくすことができる。
【００３５】
また、図５は、本考案における他の実施の形態を示す。本考案の他の実施の形態に係る衣服３０は、前身頃１１の首部３１と切込部３２が一体に連続して形成されている。それ以外の構成については、衣服１０の構成と同一であり、同一符号で表すことにより説明を省略する。
【００３６】
図５に示すように、本考案の他の実施の形態に係る衣服３０は、前身頃１１の首部３１と切込部３２が一体に形成されているが、本実施の形態に係る衣服１０と同様に、前身頃１１及び後身頃１２の肩線部１３ａ、１３ｂを、夫々、着用時に接合又は製作時に縫合した場合には、切込部３２が互いに接近すると共に前方へ突出し、胸部１９に膨出部１７が形成される。
従って、本実施の形態に係る衣服３０は、例えば、カーディガン等の全開着に適用することができ、衣服１０と同様に、胸部に皺のない自然な膨らみを有し、外観品質及び装着感に優れた衣服を提供することができる。
【００３７】
また、衣服１０及び３０にあっては、ニット素材由来の伸縮性を持つので、胸部の膨らみをはじめとした前記立体的形状は、いずれも皺のない自然な膨らみとして形成され、外観及び装着感に優れた衣服を提供することができる。
【００３８】
本実施の形態に係る衣服１０にあっては、前身頃１１の肩線部１３ａは後身頃１２の肩線部１３ｂに対して異なった傾斜角度α、βで形成された傾斜部１４を有すると共に、前身頃１１の下縁部１６と肩線部１３ａとの間の間隔寸法は後身頃１２の間隔寸法よりも大きく形成され、前身頃１１及び後身頃１２の肩線部１３ａ、１３ｂを、夫々、着用時に接合又は製作時に縫合した場合には、前身頃１１が前方へ突出して膨出部１７が形成されるように構成されている場合を例に説明したが、前記構成に限定されず、着用時に接合又は製作時に縫合した場合に、前身頃が前方へ突出して膨出部が形成されるように構成されていればよい。
【産業上の利用可能性】
【００３９】
本考案は、ポロシャツ、プルオーバーＴシャツ、タンクトップ等のかぶり着やカーディガン等の全開着をはじめとしたジャージ、ニット素材製品の上衣に広く適用可能であり、産業上利用可能性を有している。
【符号の説明】
【００４０】
１０、３０、３３：衣服
１１、３４：前身頃
１２、３６：後身頃
１３、３５：肩線部
１４：傾斜部
１５：肩部
１６、３７：下縁部
１７：膨出部
１８、３１：首部
１９：胸部
２０：前中心
２１、３２：切込部
２２、２３：肩線部先端部
２４：袖付線部
２５：脇線
２６：袖部
２７：袖山部
２８：袖底部
２９：腋下袖山線部
３８：皺
α、β：傾斜角度
Ｌ、Ｌ１、Ｌ６：間隔寸法
Ｌ２、Ｌ３、Ｌ４、Ｌ５：長さ寸法
【図１】
0003196207.tif 000003
【図２】
0003196207.tif 000004
【図３】
0003196207.tif 000005
【図４】
0003196207.tif 000006
【図５】
0003196207.tif 000007
【図６】
0003196207.tif 000008